(57)【特許請求の範囲】
【請求項１】
前面開口で、かつ上面に着脱可能なカバーが取付けられたケース体と、このケース体の底板のほぼ中央部に取付けられた回転角度を任意に制御することができるモータと、このモータの駆動によって前記ケース体内で回転するように下端部が取付けられ、上端部が開口し、外周部に少なくとも２個以上の内部の照明で照明効果が得られる表示部を有する少なくとも２個以上に分割された球体表示具と、この球体表示具の上端部の開口より内部に挿入され、該球体表示具の前記ケース体の前面開口部側の表示部を照明することができるように、前記ケース体のカバーの内壁面に取付けられた基板、この基板に取付けられた発光体とからなる照明装置とからなることを特徴とする表示装置。
【発明の詳細な説明】
【技術分野】
【０００１】
本発明は主に遊技機に使用される表示装置に関する。
【背景技術】
【０００２】
従来の表示装置は表示面が平面で、平面表示であった。
【０００３】
このため、表示に立体感が得られないとともに、目新しさに欠けるため、表示を奇抜にしなければ飽きられるという欠点があった。
【特許文献１】特になし
【発明の開示】
【発明が解決しようとする課題】
【０００４】
本発明は以上のような従来の欠点に鑑み、立体感が得られる表示を得られ、モータの回転によって表示を変えることができ、かつ照明装置も効果的に設置が可能な、新鮮味があり、効果的に表示することができる表示装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は前面開口で、かつ上面に着脱可能なカバーが取付けられたケース体と、このケース体の底板のほぼ中央部に取付けられた回転角度を任意に制御することができるモータと、このモータの駆動によって前記ケース体内で回転するように下端部が取付けられ、上端部が開口し、外周部に少なくとも２個以上の内部の照明で照明効果が得られる表示部を有する少なくとも２個以上に分割された球体表示具と、この球体表示具の上端部の開口より内部に挿入され、該球体表示具の前記ケース体の前面開口部側の表示部を照明することができるように、前記ケース体のカバーの内壁面に取付けられた基板、この基板に取付けられた発光体とからなる照明装置とで表示装置を構成している。
【発明の効果】
【０００７】
以上の説明から明らかなように、本発明にあっては次に列挙する効果が得られる。
【０００８】
（１）前面開口で、かつ上面に着脱可能なカバーが取付けられたケース体と、このケース体の底板のほぼ中央部に取付けられた回転角度を任意に制御することができるモータと、このモータの駆動によって前記ケース体内で回転するように下端部が取付けられ、上端部が開口し、外周部に少なくとも２個以上の内部の照明で照明効果が得られる表示部を有する少なくとも２個以上に分割された球体表示具と、この球体表示具の上端部の開口より内部に挿入され、該球体表示具の前記ケース体の前面開口部側の表示部を照明することができるように、前記ケース体のカバーの内壁面に取付けられた基板、この基板に取付けられた発光体とからなる照明装置とで構成されているので、少なくとも２個以上に分割された球体表示具に少なくとも２個以上の表示部によって、該表示部を球状の曲面にできる。
したがって、表示部の表示を立体的に見えるようにすることができる。
【０００９】
（２）前記（１）によって、モータの回転によって球体表示具を回転させて表示部を変えることができる。
したがって、表示部の変換を容易に行なうことができる。
【００１０】
（３）前記（１）によって、モータの回転によって球体表示具を回転することができるので、その構造が簡単で、容易に設置することができる。
【００１１】
（４）前記（１）によって、球体表示具の他端部に開口が形成されているので、該開口より内部へ照明装置のＬＥＤ等の発光素子を挿入して、効果的な演出表示を行なうことができる。
【００１２】
（５）前記（１）によって、ケース体に組み込まれるため、さらに容易に遊技機等に設置することができる。
【００１３】
（６）前記（１）によって、分割表示体に表示部を設けるため、表示部を容易に加工することができる。
【発明を実施するための最良の形態】
【００１４】
以下、図面に示す本発明を実施するための最良の形態により、本発明を詳細に説明する。
【００１５】
図１ないし図６に示す本発明を実施するための最良の第１の形態において、１は主に遊技機に使用される本発明の表示装置で、この表示装置１は前面が開口２され、上面にカバー３が複数本のビス４等で着脱可能に取付けられるケース体５と、このケース体５の底板５ａのほぼ中央部に複数本のビス６、６によって固定された、回転角度を任意に制御することができるパルスモータやセンサー内蔵モータ７と、このモータ７の回転体８に複数本のビス９、９によって下端部が固定された、前記ケース体５内に位置する上端部が開口１０する、内部の照明で効果的な演出表示が可能な球体表示具１１と、前記カバー３の内壁面に取付けられた基板１２と、この基板１２に取付けられた前記球体表示具１１内に位置して、該球体表示具１１を照明する電球、ＬＥＤ等の発光体１３を備える照明装置１４とで構成されている。
【００１６】
前記球体表示具１１は図３および図４に示すように、ほぼ中央部に軸挿入孔１５が形成され、その外周部に前記モータ７の回転体８とビス９、９等によって固定されるビス挿入孔１６、１６が形成され、弧状の外周部に表示体支持部１７、１７、１７、１７が形成されたベース部材１８と、このベース部材１８の表示体支持部１７、１７、１７、１７に下端部が支持されるように取付けられて、上部が開口１０するほぼ球体状となるように表示のプリントや成型が容易になるように４個に分割された表示部１９、１９、１９、１９を有する分割表示体２０、２０、２０、２０と、この分割表示体２０、２０、２０、２０の開口部１０周縁部に取付けられる固定リング２１とで構成されている。
なお、分割表示体２０、２０、２０、２０の表示部１９、１９、１９、１９は凹凸面や平面に直接印刷したり、別途印刷したシールを貼着固定することにより形成する。
【００１７】
上記構成の表示装置１はモータ７の回転により、球体表示具１１の分割表示体２０、２０、２０、２０がケース体５の前面開口２に位置するのを変えて、異なる表示を行なうことができる。
また、球体表示具１１の内部に位置する照明装置１４の発光体１３の点灯や点滅点灯によって、効果的な演出表示を行なうことができるとともに、該照明装置１４をスライド接点を用いることなく設置することができる。
[発明を実施するための異なる形態]
【００１８】
次に、図７ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図７ないし図９に示す本発明を実施するための第２の形態において、前記本発明を実施するための最良の第１の形態と主に異なる点は、ベース部材１８Ａ  と、このベース部材１８Ａに下端部が固定された分割表示体２０Ａ、２０Ａ、２０Ａ、２０Ａを固定する、上部に固定リング２１が形成されたフレーム２２と、このフレーム２２に接着剤で固定された分割表示体２０Ａ、２０Ａ、２０Ａ、２０Ａとで構成された球体表示具１１Ａを用いた点で、このように構成された球体表示具１１Ａを用いて構成された表示装置１Ａにしても、前記本発明を実施するための最良の第１の形態と同様な作用効果が得られる。
なお、本発明を実施する形態では分割表示体２０Ａ、２０Ａ、２０Ａ、２０Ａを熱や紫外線で収縮するフィルム等を用いて一体化してもよい。
【００２０】
図１０ないし図１２に示す本発明を実施するための第３の形態において、前記本発明を実施するための最良の第１の形態と主に異なる点は、分割表示体２０Ｂ、２０Ｂ、２０Ｂ、２０Ｂの下端部に分割ベース部材１８Ｂ、１８Ｂ、１８Ｂ、１８Ｂを一体形成し、これらを接着剤で接着固定した球体表示具１１Ｂを用いた点で、このように形成された球体表示具１１Ｂを用いて構成した表示装置１Ｂにしても、前記本発明を実施するための最良の第１の形態と同様な作用効果が得られる。
【００２１】
図１３ないし図１５に示す本発明を実施するための第４の形態において、前記本発明を実施するための最良の第１の形態と主に異なる点は、ベース部材１８Ｃと一体形成された半球状の下部分割表示体２３と、この下部分割表示体２３の上部を覆う上部開口１０が形成された上部分割表示体２４とで球体表示具１１Ｃを用いた点で、このように形成された球体表示具１１Ｃを用いて構成した表示装置１Ｃにしても、前記本発明を実施するための最良の第１の形態と同様な作用効果が得られる。
【００２２】
図１６ないし図１８に示す本発明を実施するための第５の形態において、前記本発明を実施するための最良の第１の形態と主に異なる点は、ベース部材１８Ｄの底面中央部にケース体５の底板５ａのほぼ中央部の軸受孔５ｂに回転可能に支持される軸２５に固定するとともに、外周部に歯車２６が形成された球体表示具１１Ｄと、この球体表示具１１Ｄの歯車２６と噛み合う小歯車２７が回転体８に取付けられたモータ７を用いた点で、このように構成した表示装置１Ｄにしても、前記本発明を実施するための最良の第１の形態と同様な作用効果が得られる。
【００２３】
なお、前記本発明を実施するための各形態では４個と２個に分割された分割表示体を用いるものについて説明したが、本発明はこれに限らず、３個や４個以上に分割したものを用いてもよい。
また、分割表示体を接着剤により固定する以外に、嵌め込み等の方法により、接着剤を使用せずに固定することもできる。
さらに、表示部も４個設けるものについて説明したが、２個、３個、５個以上であってもよい。
【産業上の利用可能性】
【００２４】
本発明は遊技機等の表示装置を製造する産業で利用される。
【図面の簡単な説明】
【００２５】
【図１】本発明を実施するための最良の第１の形態の斜視図。
【図２】図１の２−２線に沿う断面図。
【図３】本発明を実施するための最良の第１の形態のモータが取付けられた球体表示具の斜視図。
【図４】本発明を実施するための最良の第１の形態の球体表示具の分解斜視図。
【図５】本発明を実施するための最良の第１の形態の照明装置の説明図。
【図６】本発明を実施するための最良の第１の形態の表示部を変えた状態を示す斜視図。
【図７】本発明を実施するための第２の形態の斜視図。
【図８】図７の８−８線に沿う断面図。
【図９】本発明を実施するための第２の形態の球体表示具の分解斜視図。
【図１０】本発明を実施するための第３の形態の斜視図。
【図１１】図１０の１１−１１線に沿う断面図。
【図１２】本発明を実施するための第３の形態の球体表示具の分解斜視図。
【図１３】本発明を実施するための第４の形態の斜視図。
【図１４】図１３の１４−１４線に沿う断面図。
【図１５】本発明を実施するための第４の形態の球体表示具の分解斜視図。
【図１６】本発明を実施するための第５の形態の斜視図。
【図１７】図１６の１７−１７線に沿う断面図。
【図１８】本発明を実施するための第５の形態の球体表示具とモータの取付け状態を示す説明図。
【符号の説明】
【００２６】
１、  、１Ａ、１Ｂ、１Ｃ、１Ｄ：表示装置、
２：開口、        ３：カバー、
４：ビス、        ５：ケース体、
６：ビス、        ７：モータ、
８：回転体、        ９：ビス、
１０：開口、
１１、１１Ａ、１１Ｂ、１１Ｃ、１１Ｄ：球体表示具、
１２：基板、        １３：発光体、
１４：照明装置、      １５：軸挿入孔、
１６：ビス挿入孔、      １７：表示体支持部、
１８、１８Ａ、１８Ｂ、１８Ｃ、１８Ｄ：ベース部材、
１９：表示部、      
２０、２０Ａ、２０Ｂ：分割表示体、
２１：固定リング、      ２２：フレーム、
２３：下部分割表示体、    ２４：上部分割表示体、
２５：軸、        ２６：歯車、
２７：小歯車。
【図１】
0004773778.tif 000002
【図２】
0004773778.tif 000003
【図３】
0004773778.tif 000004
【図４】
0004773778.tif 000005
【図５】
0004773778.tif 000006
【図６】
0004773778.tif 000007
【図７】
0004773778.tif 000008
【図８】
0004773778.tif 000009
【図９】
0004773778.tif 000010
【図１０】
0004773778.tif 000011
【図１１】
0004773778.tif 000012
【図１２】
0004773778.tif 000013
【図１３】
0004773778.tif 000014
【図１４】
0004773778.tif 000015
【図１５】
0004773778.tif 000016
【図１６】
0004773778.tif 000017
【図１７】
0004773778.tif 000018
【図１８】
0004773778.tif 000019